(57)【要約】【課題】鋼製野縁受けと木製の吊り木の連結作業を簡単に行うことができ、しかも天井の施工作業の効率化を図った鋼製天井の吊り構造を提供すること。【解決手段】天井材８が取り付けられる鋼製野縁１０を吊り下げる鋼製天井野縁システムであって、天井梁１６から垂下した吊り木１８と、その吊り木に対して水平方向に配置される鋼製野縁受け１２と、その鋼製野縁受けを水平方向に移動可能に吊り木に固定するハンガー部材２０と、鋼製野縁受けに対してその鋼製野縁受けと直交する水平方向に配置される鋼製野縁１０と、その鋼製野縁を水平方向に移動可能に鋼製野縁受けに支持させるクリップ部材１４とを備える。鋼製野縁受１２けは、リップ片１２ａ、１２ｂ間の開口部が水平方向に延びるリップみぞ形鋼により構成され、ハンガー部材２０は、鋼製野縁受けの溝１２ｃ内に係合してその鋼製野縁受けの長手方向に移動自在な部分を有している。【選択図】　　　図１
2004100299.tif 000002
【特許請求の範囲】
【請求項１】
天井材が取り付けられる鋼製野縁を吊り下げる鋼製天井野縁システムであって、天井梁から垂下した吊り木と、その吊り木に対して水平方向に配置される鋼製野縁受けと、その鋼製野縁受けを水平方向に移動可能に前記吊り木に固定するハンガー部材と、前記鋼製野縁受けに対してその鋼製野縁受けと直交する水平方向に配置される鋼製野縁と、その鋼製野縁を水平方向に移動可能に前記鋼製野縁受けに支持させるクリップ部材とを備え、前記鋼製野縁受けは、リップ片の間の開口部が水平方向に延びるリップみぞ形鋼により構成され、前記ハンガー部材は、前記鋼製野縁受けの溝内に係合してその鋼製野縁受けの長手方向に移動自在な部分を有していることを特徴とする鋼製天井野縁システム。
【請求項２】
請求項１記載の鋼製天井野縁システムにおいて、前記ハンガー部材は、前記鋼製野縁受けの溝内の横断面形状と略同一の形状を有し、前記鋼製野縁受けの長手方向に摺動自在な係合部と、この係合部から前記開口部を通過する首部を介して前記鋼製野縁受けの外部に位置し、前記吊り木の側面に当接してその吊り木に対してねじ部材により固定される固定部とを備えていることを特徴とする鋼製天井野縁システム。
【請求項３】
請求項１又は２記載の鋼製天井野縁システムにおいて、前記鋼製野縁を、リップ片の間の開口部が上方を向いているリップみぞ形鋼により構成するとともに、その鋼製野縁の溝内に係合して鋼製野縁の長手方向に移動自在としたクリップ部材を、前記鋼製野縁受けに着脱自在に連結したことを特徴とする鋼製天井野縁システム。
【請求項４】
請求項３記載の鋼製天井野縁システムにおいて、前記クリップ部材は、前記鋼製野縁の溝内の横断面形状と略同一の形状を有し、前記鋼製野縁の長手方向を摺動する係合部と、この係合部から前記開口部を通過する首部を介して前記鋼製野縁の上部に位置し、前記鋼製野縁受けの外周の一部に嵌合する嵌合部とを備えていることを特徴とする鋼製天井野縁システム。
【請求項５】
請求項４記載の鋼製天井野縁システムにおいて、前記嵌合部は、前記鋼製野縁受けの上部の外周形状と略同形状に形成した弾性を有する弾性板状部を備えており、その弾性板状部の弾性変形により前記鋼製野縁受けの上部外周を上方から囲みながら着脱自在に嵌合することを特徴とする鋼製天井野縁システム。
【請求項６】
請求項１〜５の何れかに記載の鋼製天井野縁システムにおいて、前記鋼製野縁と並行に固定配置された木製の被覆野縁と、その被覆野縁と前記鋼製野縁受けとの間に設けられ、被覆野縁に対して前記鋼製野縁受けを位置決めする振れ止め金具とを更に備えていることを特徴とする鋼製天井野縁システム。
【発明の詳細な説明】
【０００１】
【発明の属する技術分野】
この発明は、鋼製天井野縁システムに関し、特に、施工性に配慮した天井材を支持する鋼製野縁、鋼製野縁受けを備えた鋼製天井野縁システムに関する。
【０００２】
【背景の技術】
天井の吊り構造として、下部に天井材を取り付けた鋼製野縁と、この鋼製野縁の上部に直交配置して水平方向に延在する鋼製野縁受けとを、天井梁から垂下した木製の吊り木に鋼製野縁受けを連結することで天井材を吊り上げ支持する構造が知られている（例えば、特許文献１参照。）。
【０００３】
このように、天井の吊り構造に鋼製野縁や鋼製野縁受けを使用することで、それらの部材のスパンが長くても撓まず、十分に吊り木に支持された状態で天井材が撓んだり、天井材の下面が下がることがない。
【０００４】
【特許文献１】
特開２０００−５４５４５
【０００５】
【発明が解決しようとする課題】
ところで、野縁受けが吊り木と同様の木製部材であれば、釘打ち等の締結手段で野縁受け及び吊り木の両者を連結し、簡単に天井の施工を行うことができるが、上述したように鋼製野縁受けを使用すると、木製の吊り木に対して鋼製野縁受けを簡単に連結することが難しい。
【０００６】
そこで、釘孔を設けたハンガー部材を鋼製野縁受けに固定しておき、このハンガー部材を介して木製の吊り木と鋼製野縁受けとを連結すると、吊り木に対する連結作業が容易となる。しかし、吊り木は、天井梁の特定の位置から垂下しているとは限らず、吊り木の位置に合わせてハンガー部材を鋼製野縁受けに固定しなければならないので、ハンガー部材の位置決め、固定作業に多くの手間と時間を要してしまう。
【０００７】
よって、本発明の課題は、鋼製野縁受けと木製の吊り木の連結作業を簡単に行うことができて天井の施工作業を効率良く行うことができる鋼製天井野縁システムを提供することにある。
【０００８】
【課題を解決するための手段】
上記問題を解決するために、本発明は、天井材が取り付けられる鋼製野縁を吊り下げる鋼製天井野縁システムであって、天井梁から垂下した吊り木と、その吊り木に対して水平方向に配置される鋼製野縁受けと、その鋼製野縁受けを水平方向に移動可能に前記吊り木に固定するハンガー部材と、前記鋼製野縁受けに対してその鋼製野縁受けと直交する水平方向に配置される鋼製野縁と、その鋼製野縁を水平方向に移動可能に前記鋼製野縁受けに支持させるクリップ部材とを備え、前記鋼製野縁受けは、リップ片の間の開口部が水平方向に延びるリップみぞ形鋼により構成され、前記ハンガー部材は、前記鋼製野縁受けの溝内に係合してその鋼製野縁受けの長手方向に移動自在な部分を有している構成とした。
【０００９】
本発明によれば、鋼製野縁受けが延在する方向（長手方向）にハンガー部材を移動させることで、木製の吊り木に対するハンガー部材の配置位置を自由に調整することができる。これにより、ハンガー部材の位置決めが簡単になるとともに、吊り木に対する鋼製野縁受けの固定作業も簡単に行うことができる。
【００１０】
ここで、前記ハンガー部材を、前記鋼製野縁受けの溝内の横断面形状と略同一の形状を有し、該鋼製野縁受けの長手方向を摺動自在な係合部と、この係合部から前記開口部を通過する首部を介して前記鋼製野縁受けの外部に位置し、前記吊り木の側面に当接してねじ部材により該吊り木に固定される固定部とを備えている構造としてもよい。このようなハンガー部材の構造にすると、鋼製野縁受けに対するハンガー部材の移動がスムーズになり、ハンガー部材の位置決めがさらに簡単になるともに、簡便な構造のハンガー部材を提供することができる。
【００１１】
また、前記鋼製野縁を、リップ片の間の開口部が上方を向いているリップみぞ形鋼により構成するとともに、この鋼製野縁の溝内に係合して該鋼製野縁の長手方向に移動自在としたクリップ部材を、前記鋼製野縁受けに着脱自在に連結してもよい。このようにすると、鋼製野縁が延在する方向（長手方向）にクリップ部材を移動させることで、鋼製野縁に対して直交している鋼製野縁受けの配置位置を自由に調整できる。そして、鋼製野縁受けの配置位置を調整できることから、鋼製野縁受けに連結しているハンガー部材の移動調整範囲も広くなり、さらにハンガー部材の位置決めと、吊り木に対する鋼製野縁受けの固定作業が簡単となる。そして、天井の施工作業を効率良く行うことができる。
【００１２】
また、前記クリップ部材を、前記鋼製野縁の溝内の横断面形状と略同一の形状を有し、該鋼製野縁の長手方向を摺動する係合部と、この係合部から前記開口部を通過する首部を介して前記鋼製野縁の上部に位置し、前記鋼製野縁受けの外周の一部に嵌合する嵌合部とを備えた構造としてもよい。このようにすると、鋼製野縁に対するクリップ部材の移動がスムーズになり、鋼製野縁の所定位置に、鋼製野縁受けを簡単に直交配置することができる。
【００１３】
さらに、前記嵌合部を、前記鋼製野縁受けの上部の外周形状と略同形状に形成した弾性を有する弾性板状部を備え、当該弾性板状部の弾性変形により前記鋼製野縁受けの上部外周を上方から囲みながら着脱自在に嵌合するようにしてもよい。このようにすると、鋼製野縁に対する鋼製野縁受けの固定、取り外しが容易となって鋼製野縁受けの配置位置を簡単に変更することができるので、さらに、天井の施工作業を効率良く行うことができる。
【００１４】
また、前記鋼製野縁と並行に固定配置された木製の被覆野縁と、その被覆野縁と前記鋼製野縁受けとの間に設けられ、被覆野縁に対して前記鋼製野縁受けを位置決めする振れ止め金具とを更に備えている構成としてもよい。このようにすると、鋼製野縁受けを被覆野縁に対して位置決めできるので、鋼製野縁受けが定位置に固定的に配置される。これにより、鋼製野縁も定位置に位置決めすることことができる。
【００１５】
【発明の実施の形態】
以下、図１を参照して本発明に係る鋼製天井野縁システムについて説明する。符号２ｂは、建物内部の壁の上部を示している。この壁の上部２ｂには、木製の被覆野縁である壁際野縁４が水平方向に延在して固定されており、この壁際野縁４の側面に、開口部を室内側に向けた横断面コ字状のランナ−（図示せず）が固定されている。
【００１６】
このランナ−に、下部に天井材としての石膏ボード８を取り付けた鋼製野縁１０の端部が差し込まれて水平に配置されている。なお、図示していなが、他の複数の鋼製野縁も、この鋼製野縁１０に対して平行に離間して水平方向に配置された状態でランナーに差し込まれている。
【００１７】
また、鋼製野縁１０と他の鋼製野縁の上部に、これら鋼製野縁に対して直交して水平方向に延在する鋼製野縁受け１２がクリップ部材１４を介して連結しており、鋼製野縁受け１２は、天井梁１６から垂下した木製の吊り木１８にハンガー部材２０を介して吊り下げ支持されている。
【００１８】
ここで、符号２２は、他方の壁の上部２ｂに固定されている木製の壁際野縁４に固定され、鋼製野縁受け１２を水平に保持している振れ止め金具である。この振れ止め金具２２は、壁際野縁４にビス等のねじ部材２１により固定される固定板部２２ａと、鋼製野縁受け１２の溝１２ｃ内に挿入されて係合される係合板部２２ｂとを有している。
【００１９】
次に、各部材の構造を詳細に説明する。鋼製野縁受け１２は、リップ片１２ａ、１２ｂの間の開口部が水平方向を向いているリップみぞ形鋼により構成されている。
【００２０】
この鋼製野縁受け１２に連結しているハンガー部材２０は、鋼製野縁受け１２の溝１２ｃ内の横断面形状と略同一の形状を有して鋼製野縁受け１２の長手方向を摺動自在な係合部２０ａと、この係合部２０ａからリップ片１２ａ、１２ｂの間の開口部を通過する首部２０ｂを介して鋼製野縁受け１２の外部に位置して吊り木１８の側面に当接する固定部２０ｃとを備え、固定部２０ｃには予めねじ孔（図示せず）が形成されており、このねじ孔を通過して吊り木１８にビス２１を留めることで吊り木１８に固定されている。
【００２１】
鋼製野縁１０は、リップ片１０ａ、１０ｂの間の開口部が上方を向いているリップみぞ形鋼により構成されている。この鋼製野縁１０に連結しているクリップ部材１４は板状の金属部材で構成されており、鋼製野縁１０の溝１０ｃ内の横断面形状と略同一の形状を有して鋼製野縁１０の長手方向を摺動自在な係合部１４ａと、この係合部１４ａからリップ片１０ａ、１０ｂの間の開口部を通過する首部１４ｂを介して鋼製野縁１０の上部に位置し、鋼製野縁受け１２の外周の一部に嵌合する嵌合部１４ｃとを備えている。
【００２２】
ここで、嵌合部１４ｃは、鋼製野縁受け１２の上部外周より僅かに小さな形状の逆Ｌ字型に形成した弾性を有する弾性板状部であり、鋼製野縁受け１２の上部に嵌合部１４ｃを当接することにより、嵌合部１４ｃが弾性変形して鋼製野縁受け１２の上部外周を上方から囲みながら着脱自在に嵌合している。
【００２３】
このような鋼製天井の吊り構造によると、鋼製野縁受け１２が延在する方向（長手方向）の水平方向にハンガー部材２０を移動させることで、吊り木１８に対するハンガー部材２０の配置位置を自由に調整することができる。これにより、ハンガー部材２０の位置決めが簡単になるとともに、吊り木１８に対する鋼製野縁受け１２の固定作業も簡単に行うことができる。
【００２４】
また、ハンガー部材２０を、鋼製野縁受け１２の溝１２ｃ内の横断面形状と略同一の形状を有する係合部２０ａと、この係合部２０ａと一体で吊り木１８に固定される固定部２０ｃとを備えた構造にしているので、鋼製野縁受け１２に対するハンガー部材２０の移動がスムーズになるとともに、簡便な構造のハンガー部材２０を提供することができる。
【００２５】
また、鋼製野縁１０をリップみぞ形鋼により構成しているとともに、この鋼製野縁１０の溝１０ｃ内に係合して鋼製野縁の長手方向の水平方向に移動自在としたクリップ部材１４を鋼製野縁受け１２に着脱自在に連結した構成としており、鋼製野縁１０が延在する方向（長手方向）の水平方向にクリップ部材１４を移動させることで、鋼製野縁１０に対して直交している鋼製野縁受け１２の配置位置をさらに自由に調整することができる。このことから、鋼製野縁受け１２に連結しているハンガー部材２０の水平方向の移動調整範囲も広くなり、さらにハンガー部材２０の位置決めと、吊り木１８に対する鋼製野縁受け１２の固定作業が簡単となるとともに、天井の施工作業を効率良く行うことができる。
【００２６】
また、クリップ部材１４を、鋼製野縁１０の溝１０ｃ内の横断面形状と略同一の形状を有する係合部１４ａと、この係合部１４ａに一体化した嵌合部１４ｃとを備えた構造としたので、鋼製野縁１０に対するクリップ部材１４の移動がスムーズになり、鋼製野縁１０の所定位置に鋼製野縁受け１２を簡単に直交配置することができる。
【００２７】
さらに、嵌合部１４ｃは、鋼製野縁受け１２の上部の外周形状と略同形状に形成した弾性を有する弾性板状部とし、鋼製野縁受け１２の上部に嵌合部１４ｃを当接することにより、嵌合部１４ｃが弾性変形して鋼製野縁受け１２の上部外周を上方から囲みながら着脱自在に嵌合するので、鋼製野縁１０に対する鋼製野縁受け１２の固定、取り外しが容易となって鋼製野縁受け１２の配置位置を簡単に変更することができる。
【００２８】
【発明の効果】
以上説明したように、本発明によれば、鋼製野縁受けと木製の吊り木の連結作業を簡単に行うことができ、しかも天井の施工作業の効率化を図った鋼製天井の吊り構造を提供することができる。
【図面の簡単な説明】
【図１】本発明に係る鋼製天井野縁システムを示す斜視図である。
【符号の説明】
２ａ、２ｂ　壁
４　壁際野縁
８　石膏ボード（天井材）
１０　鋼製野縁
１０ａ、１０ｂ　リップ片
１０ｃ　溝
１２　鋼製野縁受け
１２ａ、１２ｂ　リップ片
１２ｃ　溝
１４　クリップ部材
１４ａ　係合部
１４ｂ　首部
１４ｃ　嵌合部
１６　天井梁
１８　吊り木
２０　ハンガー部材
２０ａ　係合部
２０ｂ　首部
２０ｃ　固定部
２１　ビス
２２　振れ止め部材
２２ａ　固定板部
２２ｂ　係合板部
【図１】
2004100299.tif 000003